(57)【要約】【課題】  長時間の着帽時において耳部に疼痛を感じずにキャップからの毛髪の漏洩防止が可能なキャップを提供する。【解決手段】  頭部形状に相当するドーム状のキャップ本体と、その開口周縁端に上側縁部を縫製連結した伸縮性の鉢巻帯と、鉢巻帯の周縁の略3分の2にわたって鉢巻帯の内側上側縁部に縫製連結した後頭部覆い布体とより構成し、しかも、後頭部覆い布体の両側端部は上下に複数回の折り曲げ重ね代からなるタッグ部を形成し、タッグ部の上下幅員部を鉢巻帯の内側の上下幅員部に縫製連結したことに特徴を有する毛髪落下防止用キャップである。【選択図】図１
2018162542.tif 000002
【特許請求の範囲】
【請求項１】
頭部形状に相当するドーム状のキャップ本体と、その開口周縁端に上側縁部を縫製連結した伸縮性の鉢巻帯と、鉢巻帯の周縁の略3分の2にわたって鉢巻帯の内側上側縁部に縫製連結した後頭部覆い布体とより構成し、しかも、後頭部覆い布体の両側端部は上下に複数回の折り曲げ重ね代からなるタッグ部を形成し、タッグ部の上下幅員部を鉢巻帯の内側の上下幅員部に縫製連結したことを特徴とする毛髪落下防止用キャップ。
【請求項２】
タッグ部の上方でキャップ本体と鉢巻帯との縫製連結部分近傍に着用者の眼鏡の弦が挿貫可能なスリットを形成したことを特徴とする請求項１に記載の毛髪落下防止用キャップ。
【請求項３】
少なくともキャップ本体、必要により鉢巻帯と後頭部覆い布体とには冷感素材の織布を使用したことを特徴とする請求項１または２に記載の毛髪落下防止用キャップ。
【発明の詳細な説明】
【技術分野】
【０００１】
本発明は、食品メーカの製造現場等のスタッフが毛髪などの異物混入を防止するために着用する毛髪落下防止用キャップに関する。
【背景技術】
【０００２】
従来、食品メーカの製造現場等のスタッフが毛髪などの異物混入を防止するために着用するヘルメットの下には通常柔軟性のある布製のキャップを着用し、或いは直接に布製の毛髪落下防止用キャップを着用する。
かかるキャップにおいてはどうしても頭部の本体部分は完全に被服しているのでここからの毛髪の落下は防止できるものの特に後頭部からうなじ部分にかけての頭髪はキャップ本体で十分に被覆できていないため女性の長い頭髪などがこの部分から落下して異物混入の虞があった。
【０００３】
そのために、後頭部まで完全に被覆して頭部の毛髪全体をキャップから全く露出しない形状とし、しかも着用時に弛緩しないように弾性素材を使用して頭部から後頭部やうなじにかけて緊密な着用形態を形成することが考えられている。
【先行技術文献】
【特許文献】
【０００４】
【特許文献１】特開平５−１５６５０３
【特許文献２】特開２０１０−１２６８６６
【発明の開示】
【発明が解決しようとする課題】
【０００５】
しかし、このように頭部の毛髪全体を完全に覆い、かつ緊密な着用形態とすれば、長時間の着用での作業に支障をきたす恐れがあり、また弛緩を生じない程の過緊密な着用形態であるとキャップ内部が蒸れて不快感を生じる。
また特に着用者の耳部の突出部分に長時間の過度の緊密な押圧力がかかると敏感な耳部に疼痛を感じ、また外部から音声が聞き取れなくなって作業に支障をきたす恐れが生じていた。
特に、耳部を覆うキャップの宿命として、毛髪の完全落下防止機能を向上すればする程耳部が緊締されて外部からの音声が把握できなくなり、キャップ本体の耳部の被覆部分を膨らませるとその膨出部分と後頭部との間に隙間が形成されてそこから毛髪が落下してしまうことになる。
【０００６】
そこで、本発明では上記課題に鑑みて、キャップの全体構造をキャップ本体と鉢巻帯と後頭部覆い布体との三部材に分けて、特に耳部に該当する部分の後頭部覆い布体の前端部に上下に重なるタッグ部を形成して鉢巻帯と縫製連結することにより、タッグ部の重ね代による耳部被覆のゆとり形状と共に後頭部からうなじにかけての毛髪部分の緊密な被覆機能を果たすことのできるキャップを提供するものである。
【課題を解決するための手段】
【０００７】
本発明の毛髪落下防止用のキャップは、頭部形状に相当するドーム状のキャップ本体と、その開口周縁端に上側縁部を縫製連結した伸縮性の鉢巻帯と、鉢巻帯の周縁の略3分の2にわたって鉢巻帯の内側上側縁部に縫製連結した後頭部覆い布体とより構成し、しかも、後頭部覆い布体の両側端部は上下に複数回の折り曲げ重ね代からなるタッグ部を形成し、タッグ部の上下幅員部を鉢巻帯の内側の上下幅員部に縫製連結したことを特徴とする毛髪落下防止用キャップである。
【０００８】
また、本発明の選択的な態様の１つにおいて、タッグ部を形成した後頭部覆い布体の表層側でキャップ本体と鉢巻帯との縫製連結部分近傍に着用者の眼鏡の弦が挿貫可能なスリットを形成したことにも特徴を有する毛髪落下防止用キャップである。
【０００９】
また、本発明の選択的な態様の１つにおいて、少なくともキャップ本体、必要により鉢巻帯と後頭部覆い布体とには冷感素材の織布を使用したことにも特徴を有する毛髪落下防止用キャップである。
【発明の効果】
【００１０】
請求項１の発明によれば、頭部形状に相当するドーム状のキャップ本体と、その開口周縁端に上側縁部を縫製連結した伸縮性の鉢巻帯と、鉢巻帯の周縁の略3分の2にわたって鉢巻帯の内側上側縁部に縫製連結した後頭部覆い布体とより構成し、しかも、後頭部覆い布体の両側端部は上下に複数回の折り曲げ重ね代からなるタッグ部を形成し、タッグ部の上下幅員部を鉢巻帯の内側の上下幅員部に縫製連結したことにより、本発明の毛髪落下防止用キャップの全体構造をキャップ本体と鉢巻帯と後頭部覆い布体との三部材に分けて構成したので、まず三部材の中央部分に位置する伸縮性の鉢巻帯が頭部周面を緊締に囲繞することによりその上下方向において他の二部材であるキャップ本体と鉢巻帯の内側に縫製連結した後頭部覆い布体とが確実に頭部と後頭部を被覆することができることになり頭部形状に沿った緊密な着用形態を形成することが可能となる効果がある。更には、鉢巻帯の周縁の略3分の2にわたって後頭部覆い布体を縫製連結したので、丁度こめかみに位置する箇所に後頭部覆い布体の前端部のタッグ部が位置する。従って、耳部の突出形状によりタッグ部の重ね代が伸長拡大して膨出し耳部を覆うこととなり耳部の圧迫感を回避し着心地を良好とすると共に、鉢巻帯の内側にこのタッグ伸長膨出部分が位置しその外表側を伸縮性の鉢巻帯が圧迫して覆うので耳部を一定の弛緩状態で覆いながらも後頭部やうなじ部分の毛髪が外方に漏洩して落下する虞がなく、また、後頭部覆い布体の前端部がタッグ部を介して同じ上下の幅員で鉢巻帯に縫製連結されているので後頭部覆い布体の前部は上方前方に引っ張られて後頭部覆い布体全体は側面視略三角形状となって後頭部やうなじ部分を緊密に被覆して毛髪の漏洩落下を防止することができる効果がある。
【００１１】
請求項２の発明によれば、タッグ部の上方でキャップ本体と鉢巻帯との縫製連結部分近傍に着用者の眼鏡の弦が挿貫可能なスリットを形成したため、毛髪落下防止用のキャップを着帽した状態で近視用や遠視用、保護用の眼鏡の脱着が可能となる。鉢巻帯の緊締具合が毛髪を留める程度の締め付けであるため眼鏡の弦に対して圧迫感がなく自然な状態での眼鏡着用が可能となる。そのため眼鏡着用者が不快に感じにくく従事作業に集中できる。さらに、開口形状をスリットとしたため、毛髪落下防止用キャップを装着している最中にキャップ内部から外部に接触する頭髪部分が可及的に低減され、開口部からの毛髪落下を防止できる。
【００１２】
請求項３の発明によれば、少なくともキャップ本体、必要により鉢巻帯と後頭部覆い布体とには冷感素材の織布を使用したため、長時間作業に従事した際にも頭部が蒸れにくく、暑さによる不快感を生じにくくするため、集中して作業に従事することができる。
【図面の簡単な説明】
【００１３】
【図１】本発明の実施形態にかかる毛髪落下防止用のキャップを示す図であり、（ａ）は斜視図であり、（ｂ）はタッグ部の拡大断面図である。
【図２】本発明の実施形態にかかる毛髪落下防止用のキャップにスリット形状を追加した図であり、（ａ）は斜視図であり、（ｂ）はタッグ部の拡大断面図である。
【図３】本発明の実施形態にかかる毛髪落下防止用のキャップを頭部に装着して使用した状態を示す側面図であり、（ａ）はスリット部を介して眼鏡を装着した状態を示す側面図であり、（ｂ）はスリット部を介して眼鏡を外す場合の状態を示す側面図である。
【図４】本発明の実施形態にかかる毛髪落下防止用のキャップを頭部に装着して使用した状態を示した側面図であり、（ａ）は後頭部覆い布体のみを示した側面図であり、（ｂ）は鉢巻帯と後頭部覆い布体を縫製した状態の側面図である。
【図５】本発明の実施形態にかかる毛髪落下防止用のキャップの後頭部覆い布体を縫製する前の全体像と端部を折曲した状態を示す斜視図である。
【図６】本発明の他の実施形態にかかる毛髪落下防止用のキャップを示す斜視図である。
【図７】本発明の他の実施形態にかかる毛髪落下防止用のキャップを頭部に装着した状態を示す側面図であり、（ａ）はスリット部を介して眼鏡を装着した状態を示す側面図であり、（ｂ）はスリット部を介して眼鏡を外す場合の状態を示す側面図である。
【図８】本発明の他の実施形態にかかる毛髪落下防止用のキャップの要部を分解して示した側面図であり、（ａ）は鉢巻帯と後頭部覆い布体の縫製部を示し、（ｂ）は鉢巻帯と後頭部覆い布体を縫製した状態の側面図である。
【発明を実施するための最良の形態】
【００１４】
頭部形状に相当するドーム状のキャップ本体と、その開口周縁端に上側縁部を縫製連結した伸縮性の鉢巻帯と、鉢巻帯の周縁の略3分の2にわたって鉢巻帯の内側上側縁部に縫製連結した後頭部覆い布体とより構成し、しかも、後頭部覆い布体の両側端部は上下に複数回の折り曲げ重ね代からなるタッグ部を形成し、タッグ部の上下幅員部を鉢巻帯の内側の上下幅員部に縫製連結したことに特徴を有する毛髪落下防止用キャップである。
また、タッグ部の上方でキャップ本体と鉢巻帯との縫製連結部分近傍に着用者の眼鏡の弦が挿貫可能なスリットを形成したことにも特徴を有する毛髪落下防止用キャップである。
また、少なくともキャップ本体、必要により鉢巻帯と後頭部覆い布体とには冷感素材の織布を使用したことにも特徴を有する毛髪落下防止用キャップである。
【００１５】
以下、本発明の実施形態について図面に基づいて詳しく説明する。図１は本発明の実施形態にかかる毛髪落下防止用のキャップを示す図であり、（ａ）は斜視図であり、（ｂ）はタッグ部の拡大断面図である。図２は本発明の実施形態にかかる毛髪落下防止用のキャップにスリット形状を追加した図であり、（ａ）は斜視図であり、（ｂ）はタッグ部の拡大断面図である。図３は、本発明の実施形態にかかる毛髪落下防止用のキャップを頭部に装着して使用した状態を示す側面図であり、（ａ）はスリット部を介して眼鏡を装着した状態を示す側面図であり、（ｂ）はスリット部を介して眼鏡を外す場合の状態を示す側面図である。図４は、本発明の実施形態にかかる毛髪落下防止用のキャップを頭部に装着して使用した状態を示した側面図であり、（ａ）は後頭部覆い布体のみを示した側面図であり、（ｂ）は鉢巻帯と後頭部覆い布体を縫合した状態の側面図である。図５は、本発明の実施形態にかかる毛髪落下防止用のキャップの後頭部覆い布体を縫製する前の全体像と端部を折曲した状態を示す斜視図である。図６は、本発明の他の実施形態にかかる毛髪落下防止用のキャップを示す斜視図である。図７は、は本発明の他の実施形態にかかる毛髪落下防止用のキャップを頭部に装着した状態を示す側面図であり、（ａ）はスリット部を介して眼鏡を装着した状態を示す側面図であり、（ｂ）はスリット部を介して眼鏡を外す場合の状態を示す側面図である。図８は、本発明の他の実施形態にかかる毛髪落下防止用のキャップの要部を分解して示した側面図であり、（ａ）は鉢巻帯と後頭部覆い布体の縫製部を示し、（ｂ）は鉢巻帯と後頭部覆い布体を縫製した状態の側面図である。
【００１６】
本発明の毛髪落下防止用キャップ１００は、キャップ本体１０と鉢巻帯２０とタッグ部２１と後頭部覆い布体３０とより構成されている。
【００１７】
キャップ本体１０は、図３に図示しているように頭部形状に相当するドーム形状を有しており着帽時に頭頂部と側頭部を被覆する。作業従事者は、作業中常に毛髪落下防止用キャップ１００を着用しているため、キャップ本体１０は通気性の高い織り方で伸縮性を有し、尚且つ熱伝導率の高い素材で構成されていることが好ましい。例えば、ポリエステルやポリウレタンで構成することで長時間にわたる作業中に頭部が蒸れる蓋然性を可及的に低減し集中して作業に従事することができる。また、キャップ本体１０は汗などの水分の吸水性が良好で、軽量な繊維で形成されることが好ましく、例えば、ポリプロピレン等のポリオレフィン系材料などの合成繊維を使用することもできる。
【００１８】
鉢巻帯２０は、図３に図示しているようにキャップ本体１０の開口部の内側下縁部に上半部を縫着して縫製部２７を形成し、下半部はキャップ本体１０の開口部から下方に突出２６して、キャップ本体１０の開口縁部１１を下方に垂下延長した形状となっている。
このような構成としたため、キャップ本体１０と頭部周面が密着状態となりキャップ本体１０の内部での毛髪の揺動が低減し毛髪が抜ける蓋然性を可及的に低減させる。さらに、キャップ本体１０の内部で毛髪が抜けた際にも、鉢巻帯２０で頭囲を緊締しており毛髪の漏洩落下を可及的に低減することができる。
さらに、鉢巻帯２０は、着帽時に頭囲を緊締するため、作業者の汗を吸収する役割を担う。そのため、吸収した汗を可及的に発散できる材質で構成されていることが好ましく、例えば、ポリプロピレンやポリオレフィン系の材料にて構成することができる。
【００１９】
後頭部覆い布体３０は、図５に示すように上下幅をキャップ本体１０の略高さとし、平面視略Ｕ字状形状に湾曲した帯状の布体より構成し、帯状の布体の上端部を鉢巻帯２０の内側面に縫着して縫製部２６を形成し、キャップ本体１０の下方において頭部両側から頭部後側にかけて平面視で略Ｕ字状に覆った垂布としている。しかも、本発明の実施例の特徴は、かかる垂布としての後頭部覆い布体３０が上下の高さに一定の縦幅を有し、しかも、図５に示すように、その前端部は上下方向でたるみを形成しながら重ね合わせて、いわゆる、タッグ部２１を形成して、図１（ｂ）に示すように後頭部覆い布体３０の前端部を鉢巻帯２０の内側に縫着２４する。
このように、後頭部覆い布体３０の垂布の前端部にたるみ状のタッグ部２１を形成することにより、帯状の後頭部覆い布体３０は下縁端３２が側面視で前端部から後端部にかけて下り勾配の傾斜状に形成され、後端部はキャップ本体１０の後下方、すなわち後頭部からうなじ部を被覆した側面視略三角形状となる。
このように、後頭部覆い布体３０の前端部にのみたるみ状のタッグ部２１を形成して鉢巻帯２０の内側で縫着２４したために側面視略三角形状の後頭部覆い布体３０は、傾斜した下縁端３２が側頭部において上方に引っ張られて緊締引張状態となり着用者のこめかみから耳部を経て後頭部下方のうなじ部までを被覆密着した状態となり、着用者の側頭部から後頭部にかけての頭囲とキャップ本体１０との間に形成されやすい間隙を解消し、毛髪などの漏洩することのない密着状態を形成する。
【００２０】
さらに、鉢巻帯２０と後頭部覆い布体３０との縫製部２６において頭部両側面のタッグ部２１の上部近傍から着用者の耳部近傍までの間を図２や図４に図示しているように未縫合としてスリット３１を形成している。スリット３１は、着帽時にタッグ部２１が前方向に引っ張られることでタッグ部２１から耳部にかけて細長い開口部を形成する。従って、鉢巻帯２０と後頭部覆い布体３０の間の空間を介してスリット３１より近視用や遠視用、保護用の眼鏡の弦４０を挿入することができキャップ本体１０と後頭部覆い布体３０に収納された耳部に眼鏡の弦４０をかけることができる。
このようにスリット３１は着帽時に細長い開口部形状となり、後頭部覆い布体３０と鉢巻帯２０との間に形成されるために毛髪は、スリット３１よりキャップ本体１０の外部に露出するおそれがなく、眼鏡を装着した際に眼鏡の弦４０によりキャップ本体１０と顔側面との隙間が形成されることを防止し眼鏡の弦４０の隙間から毛髪が落下する蓋然性を可及的に低減することができる。
【００２１】
また、図３に示すようにスリット３１の上方と相対する鉢巻帯２０の上縁部分にはスリット用目印２２を形成している。スリット用目印２２はタッグ部２１上方から耳部近傍にかけて形成され、鉢巻帯２０の上縁部分を略半円隆起形状に形成している。
そのため、眼鏡の弦４０を挿通するスリット３１の位置をキャップ本体１０の外部からでも確認することができる。さらに、キャップ本体１０と鉢巻帯２０との縫製連結部は着帽時に緊締状態となるためスリット３１に眼鏡の弦４０を挿通した際に眼鏡の弦が顔面に押圧されることとなるが、スリット用目印２２を形成することで着帽時の縫製連結部緊締位置をスリット３１よりも上方に変更することができ眼鏡の弦４０への押圧を低減することで長時間の作業に支障をきたす虞を可及的に低減することができる。
【００２２】
また、図６〜図８はタッグ部２１を形成した後頭部覆い布体３０の表層側でキャップ本体１０と鉢巻帯２０との縫製連結部分に非縫製のスリット３１を形成した実施例の変形を示したキャップ構造を示す。
すなわち、この変形実施例のスリット３１´の構造は図６に示すように前帯２０´−１と後帯２０´−２の分割鉢巻帯２０´とし、分割鉢巻帯２０´をキャップ本体１０の開口周縁端に縫製連結するに際して分割鉢巻帯２０´の前帯端部２０"−１、及び後帯端部２０"−２をそれぞれ下方に短縮傾斜状に切削しこの傾斜切削部分を互いに重ねることによりこの重ね代２８の間に眼鏡の弦４０を挿通可能な空間を形成する。この場合には、後帯２０´−２の後帯端部２０"−２が前帯２０´−１の前帯端部２０"−１の上層に重なるように重ね代２８を形成すると共に、前帯２０´−１の前帯端部２０"−１の傾斜線に沿って後帯２０´−２と一体に縫製連結する。
しかも、重ね代２８の下層側となる前帯端部２０"−１の前端の上側縁には非縫製として一定幅で眼鏡の弦４０を挿通するためのスリット３１´を形成している。
かかる構造とすることにより分割鉢巻帯２０´の前帯端部２０"−１、及び後帯端部２０"−２の重ね代２８の合わせ空間から下層側の傾斜切削部分に形成される非縫製のスリット３１´に眼鏡の弦４０を挿通することができキャップ着用時に眼鏡が支障とならないようにしている。
なお、図中、縫製ガイド線２３は分割鉢巻帯２０´の前帯端部２０"−１の傾斜線に沿って上側重ね代２８となる後帯端部２０"−２と連結した縫製線を示す。この縫製ガイド線２３と上方位置で対応した下層側の前帯端部２０"−１は上側端縁を非縫製としてスリット３１´を形成している。
【００２３】
かかるように構成することで、側頭部から後頭部のうなじにかけての毛髪部分の緊密な被覆機能を果たし作業時にキャップから毛髪が漏洩する蓋然性の低いキャップを提供することができる。
【００２４】
なお、本発明は上述した実施形態に限られず、上述した実施形態の中で開示した各構成を相互に置換したり組合せを変更したりした構成、公知発明並びに上述した実施形態の中で開示した各構成を相互に置換したり組合せを変更したりした構成、等も含まれる。また、本発明の技術的範囲は上述した実施形態に限定されず、実用新案登録請求の範囲に記載された事項とその均等物まで及ぶものである。
【符号の説明】
【００２５】
１００  毛髪落下防止用キャップ
１０  キャップ本体
１１  開口縁部
２０  鉢巻帯
２０´分割鉢巻帯
２０´−１  前帯
２０"−１   前帯端部
２０´−２  後帯
２０"−２   後帯端部
２１  タッグ部
２２  スリット用目印
２３  縫製ガイド線
２４  縫着
２５  突出
２６  縫製部
３０  後頭部覆い布体
３１  スリット
３１´スリット
３２  下縁端
４０  眼鏡の弦
【図１】
2018162542.tif 000003
【図２】
2018162542.tif 000004
【図３】
2018162542.tif 000005
【図４】
2018162542.tif 000006
【図５】
2018162542.tif 000007
【図６】
2018162542.tif 000008
【図７】
2018162542.tif 000009
【図８】
2018162542.tif 000010